(57)【要約】      （修正有）【課題】人工的な印象を抑制し、接客時に暖かみのある雰囲気を保つことのできるマウスシールドを提供する。【解決手段】マウスシールド１は、使用者の口元を覆うシールド部２と、シールド部２を保持するフレーム部３と、使用者の顎に当てる顎あて部４を備える。シールド部２を、ヒノキやスギなどの木材とする。フレーム部３には、シールド部２を着脱自在に取り付ける溝が形成されている。シールド部２を木材としたため、接客相手に暖かな印象を与えるとともに、使用者は木の香りを楽しむことができる。【選択図】図１
0003233715.tif 000002
【実用新案登録請求の範囲】
【請求項１】
使用者の口元を覆うシールド部を木材により形成したことを特徴とするマウスシールド。
【請求項２】
前記シールド部を保持するフレーム部を備え、
前記フレーム部の長手方向に沿って前記シールド部を着脱自在に取り付ける溝を形成した請求項１に記載のマウスシールド。
【請求項３】
前記シールド部は、複数の単板よりなる合板であり、
前記複数の単板は、木目が同じ向きとなるように貼り合わされた請求項１または２に記載のマウスシールド。
【請求項４】
前記シールド部は、該シールド部の短手方向に沿う木目を有する請求項１〜３のいずれか一項に記載のマウスシールド。
【考案の詳細な説明】
【技術分野】
【０００１】
本考案は、マウスシールドに関するものである。
【背景技術】
【０００２】
２０２０年初頭より蔓延した新型コロナウィルス感染症対策として広く使用されるに至った人の口や鼻を覆うマスクは、顔面に密着して使用することから蒸れたり、使用者の眼鏡が曇ったりするなどの難点がある。
【０００３】
それに対し、板状部材で人の口元を遮蔽しつつ、使用者の呼吸を容易なものとするマウスシールドが知られている。特許文献１のマウスシールドは、全体が透明で湾曲可能なシート状部材からできており、使用者が装着した際に使用者の口および鼻の正面に配置されるシールド部と、使用者の顎をカバーするバンド部と、シールド部とバンド部とを連結する連結部とから構成されている。これにより、使用者の口を保護しながら口元を会話相手が認識可能とし、かつ使用者の呼吸が容易であるマウスシールドを提供できるとしている。
【先行技術文献】
【特許文献】
【０００４】
特開２０２０−１８０４２５公報
【考案の概要】
【考案が解決しようとする課題】
【０００５】
ところで、マウスシールドは顔面に装着されるものであるから、接客相手の目に留まりやすい。この点、従来の技術では、シールド部を透明樹脂素材で形成しため、人工的かつ無機質な印象を与えるという問題があった。特に、和菓子屋や和食店など、手作りの暖かみを重視する空間においては、その場の雰囲気を損ねてしまう可能性もある。
【０００６】
そこで、本考案は、接客相手の目に心地よさを与えることのできるマウスシールドを提供することを目的とする。
【課題を解決するための手段】
【０００７】
上記課題を解決するために、本考案のマウスシールドは、使用者の口元を覆うシールド部を木材により形成したことを特徴とする。
【０００８】
また、シールド部を保持するフレーム部を設け、フレーム部の長手方向に沿ってシールド部を着脱自在に取り付ける溝を形成した。
【０００９】
このとき、シールド部は、複数の単板よりなる合板であり、複数の単板は、木目が同じ向きとなるように貼り合わされている。
【００１０】
さらに、シールド部は、該シールド部の短手方向に沿う木目を有する。
【００１１】
本考案のマウスシールドよれば、シールド部を日本古来から生活に馴染んできた木材により形成したため、人工的な印象を抑制してその空間に醸成された雰囲気を好適に保ち、接客相手をリラックスさせるとともに、相手におもてなしの心を伝えることができるという効果を奏する。
【図面の簡単な説明】
【００１２】
【図１】本考案の一実施形態を示すマウスシールドの正面図である。
【図２】図１のマウスシールドの、（ａ）シールド部の正面図、（ｂ）ホルダ部を接着したフレーム部の平面図、（ｃ）顎あて部の正面図である。
【図３】フレーム部と顎あて部の位置関係を示す、（ａ）平面図、（ｂ）正面図、（ｃ）右側面図である。
【図４】図１のマウスシールドの（ａ）右側面図、（ｂ）ＡＡ線による拡大分解端面図である。
【図５】シールド部の構成を示す説明図である。
【図６】シールド部をフレーム部に嵌め込む様子を示す説明図である。
【考案を実施するための形態】
【００１３】
以下、本考案をマウスシールドに具体化した一実施形態を図面に基づいて説明する。図１〜５に示すように、マウスシールド１は、木材からなるシールド部２と、シールド部２を保持するフレーム部３と、使用者の顎に当接する顎あて部４から構成されている。シールド部２に用いる木材は、ヒノキやスギなどの香りがよく木目の美しい木材が好ましい。
【００１４】
フレーム部３は、長手方向に湾曲する形状に設けられ、フレーム部３の両端部には、耳にかける紐を挿通する挿通穴３５が設けられている。また、フレーム部３には、顎あて部４をフレーム部３に保持する顎あてホルダ５が接着されている。なお、挿通穴３５の代わりに、フレーム部３の両端部を背面側に折り返してクリップ状にし、紐を引っ掛けられるように構成しても良い。
【００１５】
フレーム部３は、複数の細長い板状部材３１，３２，３３から構成されている。板状部材３１，３３の中間に配置された板状部材３２は、板状部材３１，３３よりもさらに細く設けられている。図４（ｂ）に示すように、板状部材３１，３２，３３の下端面３１ｂ，３２ｂ，３３ｂを揃えて３枚重ねて貼り合わせると、板状部材３２の上端面３２ａは板状部材３１，３２の上端面３１ａ，３２ａよりもフレーム部３の内部に後退した位置に配置され、上端面３２ａを底部とする溝３４が、フレーム部３の長手方向に沿って形成される。なお、フレーム部３を樹脂材で成形する場合には、板状部材３１，３２，３３を一の板状部材とし、該板状部材に、断面凹形状の溝３４を設けることもできる。
【００１６】
図３に示すように、顎あてホルダ５は、フレーム部３の長手方向中央部に接着されている。また、図４（ｂ）に示すように、顎あてホルダ５には、顎あて部４を着脱可能に取り付けるための断面凹形状の溝５１が、顎あてホルダ５の長手方向に沿って設けられている。
【００１７】
フレーム部３および顎あてホルダ５の素材としては、ポリスチレン（ＰＳ）などの樹脂材を選択することができる。このとき、樹脂材の着色の有無、光透過性、シボ加工の有無を自由に選択できる。また、フレーム部３として、シールド部と同じ木材であるヒノキやスギを選択することも可能である。なお、フレーム部３および顎あてホルダ５を樹脂材とした場合には、これらを一体成形により製造することも可能である。
【００１８】
顎あて部４は、顎あてホルダ５に取り付ける取付部４１と、顎に当接してマウスシールド１全体を顔面の所定の位置に配置する本体部４３を備える。
【００１９】
図５（ａ）に示すように、シールド部２は、複数の単板２１を重ねて接着剤２３などにより貼り合わせた合板から形成されている。また、複数の単板２１は、各々、シールド部２の短手方向に沿う向きに木目２２が揃えられている。木目２２を短手方向に沿う向きに揃えたため、図５（ｂ）に示すように、シールド部２を長手方向に容易に湾曲させることができる。
【００２０】
続いて、シールド部２をフレーム部３に取り付ける方法について説明する。図６に示すように、フレーム部３の溝３４の端部３４ａと、シールド部２の下端部の角２ａ（図２（ａ）参照）とを位置合わせし、シールド部２をフレーム部３の長手方向にスライドさせることにより、溝３４にシールド部２の下端部が嵌め込まれ、シールド部２をフレーム部３に取り付けることができる。反対に、シールド部２をフレーム部３の長手方向に向けてスライドさせると、フレーム部３からシールド部２を取り外すことが可能である。
【００２１】
したがって、この実施形態のマウスシールド１によれば、シールド部２を木材により形成したため、接客の際に、相手に暖かな印象をあたえることができる。例えば、シールド部２にヒノキやスギを用いた場合には、使用者がヒノキやスギの香りを楽しみつつリラックスでき、快適に装着することができる。また、ヒノキやスギには空気清浄効果もあるため、長時間使用しても快適さが損なわれない。
【００２２】
また、フレーム部３の長手方向に沿ってシールド部２を取り付ける溝３４を形成したため、溝３４によってシールド部２が湾曲状態で挟持され、シールド部２を所望の湾曲状態に保持することも可能である。さらに、ヒノキやスギには殺菌効果が期待でき、また、シールド部２を着脱自在としたため、衛生的にも優れたマウスシールド１を提供できる。
【００２３】
なお、本考案は、上記実施形態に限定されるものではなく、本考案の趣旨を逸脱しない範囲で各部の形状や構成を適宜に変更して実施することも可能である。
【符号の説明】
【００２４】
１    マウスシールド
２    シールド部（ａ：角）
３    フレーム部
４    顎あて部
５    顎あてホルダ
２１    単板
２２    木目
２３    接着剤
３１    板状部材（ａ：上端面、ｂ：下端面）
３２    板状部材（ａ：上端面、ｂ：下端面）
３３    板状部材（ａ：上端面、ｂ：下端面）
３４    フレーム部の溝（ａ：端部）
３５    挿通穴
４１    取付部
４２    本体部
５１    顎あてホルダの溝
【図１】
0003233715.tif 000003
【図２】
0003233715.tif 000004
【図３】
0003233715.tif 000005
【図４】
0003233715.tif 000006
【図５】
0003233715.tif 000007
【図６】
0003233715.tif 000008